(57)【要約】【課題】大規模なデジタル処理回路を必要としなくてもアナログ映像信号をデジタル映像信号に処理した表示映像の水平方向位置調整を滑らかに行うことができるようにする。【解決手段】位相調整回路により、水平同期検出回路による水平同期信号を元に所定のサンプリングクロックの位相が調整され、Ａ／Ｄ変換回路によるアナログ映像信号がデジタル映像信号に変換される際、位相が調整されたサンプリングクロックでサンプリングされ、位置調整回路により、デジタル映像信号及び水平同期信号のタイミングと、映像の表示期間指示信号のタイミングとが位相が調整されているサンプリングクロックに基づいたピクセルクロック単位で制御され、映像出力回路により、位置調整回路からのデジタル映像信号、水平同期信号及び映像の表示期間指示信号を元に、映像表示機器における表示映像の水平方向での移動が行われるようにした。【選択図】  図４
2006208492.tif 000002
【特許請求の範囲】
【請求項１】
表示映像の水平方向の位置調整を行う映像処理装置であって、
映像信号の水平同期信号を検出する水平同期検出手段と、
検出された前記水平同期信号を元に所定のサンプリングクロックの位相を調整する位相調整手段と、
アナログ映像信号を、位相が調整された前記サンプリングクロックでサンプリングしてデジタル映像信号として出力するＡ／Ｄ変換手段と、
前記Ａ／Ｄ変換手段からのデジタル映像信号及び水平同期信号のタイミングと、映像の表示期間指示信号のタイミングとを、位相が調整されている前記サンプリングクロックに基づいたピクセルクロック単位で制御する位置調整手段と、
前記位置調整手段からのデジタル映像信号、水平同期信号及び映像の表示期間指示信号を元に、映像表示機器における表示映像を水平方向に移動させる映像出力手段とを備える
ことを特徴とする映像処理装置。
【請求項２】
前記サンプリングクロックの位相は、１ピクセルクロックの期間より短い期間で調整されることを特徴とする請求項１に記載の映像処理装置。
【請求項３】
表示映像の水平方向の位置調整を行う映像処理装置であって、
映像信号の水平同期信号を検出する水平同期検出手段と、
検出された前記水平同期信号を元に所定のサンプリングクロックの極性を反転させる極性反転手段と、
アナログ映像信号を、極性が反転された前記サンプリングクロックでサンプリングしてデジタル映像信号として出力するＡ／Ｄ変換手段と、
前記Ａ／Ｄ変換手段からのデジタル映像信号及び水平同期信号のタイミングと、映像の表示期間指示信号のタイミングとを、極性が反転されている前記サンプリングクロックに基づいたピクセルクロック単位で制御する位置調整手段と、
前記位置調整手段からのデジタル映像信号、水平同期信号及び映像の表示期間指示信号を元に、映像表示機器における表示映像を水平方向に移動させる映像出力手段とを備える
ことを特徴とする映像処理装置。
【請求項４】
表示映像の水平方向の位置調整を行う映像処理方法であって、
映像信号の水平同期信号を検出する同期信号検出工程と、
検出された前記水平同期信号を元に所定のサンプリングクロックの位相を調整する位相調整工程と、
アナログ映像信号を、位相が調整された前記サンプリングクロックでサンプリングしてデジタル映像信号として出力するＡ／Ｄ変換工程と、
前記デジタル映像信号及び水平同期信号のタイミングと、映像の表示期間指示信号のタイミングとを、位相が調整されている前記サンプリングクロックに基づいたピクセルクロック単位で制御するタイミング調整工程と、
タイミング調整された前記デジタル映像信号、水平同期信号及び映像の表示期間指示信号を元に、映像表示機器における表示映像を水平方向に移動させる映像出力工程とを有する
ことを特徴とする映像処理方法。
【請求項５】
前記サンプリングクロックの位相は、１ピクセルクロックの期間より短い期間で調整されることを特徴とする請求項４に記載の映像処理方法。
【請求項６】
表示映像の水平方向の位置調整を行う映像処理方法であって、
映像信号の水平同期信号を検出する同期信号検出工程と、
検出された前記水平同期信号を元に所定のサンプリングクロックの極性を反転させる極性反転工程と、
アナログ映像信号を、極性が反転された前記サンプリングクロックでサンプリングしてデジタル映像信号として出力するＡ／Ｄ変換工程と、
前記デジタル映像信号及び水平同期信号のタイミングと、映像の表示期間指示信号のタイミングとを、極性が反転されている前記サンプリングクロックに基づいたピクセルクロック単位で制御するタイミング調整工程と、
タイミング調整された前記デジタル映像信号、水平同期信号及び映像の表示期間指示信号を元に、映像表示機器における表示映像を水平方向に移動させる映像出力工程とを有する
ことを特徴とする映像処理方法。
【発明の詳細な説明】
【技術分野】
【０００１】
本発明は、アナログ映像信号をデジタル映像信号に処理して映像表示する映像処理装置に係り、特に、表示映像の水平方向位置調整を行う映像処理装置に関する。
【背景技術】
【０００２】
従来より、テレビジョン受像機においては、表示映像の水平方向位置調整を行う場合、映像の表示期間指示信号の生成タイミングをピクセルクロック単位で制御する方式や、映像データの出力タイミングをピクセルクロック単位で制御する方式や、デジタル処理のスケーリング処理を用いる方式や、特許文献１に示されているアナログ回路のみで行う方式等がある。
【特許文献１】特開平０４−１８３０７１号公報
【発明の開示】
【発明が解決しようとする課題】
【０００３】
ところが、上述の映像の表示期間指示信号の生成タイミングをピクセルクロック単位で制御する方式や、映像データの出力タイミングをピクセルクロック単位で制御する方式では、たとえば画面を右に１ピクセルクロック単位で連続移動させようとすると、移動前のフレームと次のフレームとには間が無く、一瞬にして画面が１ピクセルクロック右にずれたように見える。
【０００４】
そのため、画面を連続で右へ数ピクセル移動させると、画素間の移動が滑らかに行われず、表示映像がカクカクした移動として見えてしまう。
【０００５】
また、上述のデジタル処理のスケーリング処理を用いる方式では、画面の移動に合わせたスケーリング処理により画面の移動がスムーズに行われるが、大規模なデジタル処理回路が必要となってしまう。
【０００６】
また、特許文献１に示されているアナログ回路のみで行う方式では、画面の移動がスムーズに行われるが、アナログ映像信号をデジタル映像信号に処理した表示映像の水平方向位置調整を行うことができない。
【０００７】
解決しようとする問題点は、映像の表示期間指示信号の生成タイミングや映像データの出力タイミングをピクセルクロック単位で制御するようにすると、表示映像の水平方向位置調整が滑らかに行われないし、デジタル処理のスケーリング処理を用いると大規模なデジタル処理回路が必要となってしまうし、アナログ回路のみで行うようにすると、アナログ映像信号をデジタル映像信号に処理した表示映像の水平方向位置調整を行うことができないという点である。
【課題を解決するための手段】
【０００８】
本発明の映像処理装置は、表示映像の水平方向の位置調整を行う映像処理装置であって、映像信号の水平同期信号を検出する水平同期検出手段と、検出された前記水平同期信号を元に所定のサンプリングクロックの位相を調整する位相調整手段と、アナログ映像信号を、位相が調整された前記サンプリングクロックでサンプリングしてデジタル映像信号として出力するＡ／Ｄ変換手段と、前記Ａ／Ｄ変換手段からのデジタル映像信号及び水平同期信号のタイミングと、映像の表示期間指示信号のタイミングとを、位相が調整されている前記サンプリングクロックに基づいたピクセルクロック単位で制御する位置調整手段と、前記位置調整手段からのデジタル映像信号、水平同期信号及び映像の表示期間指示信号を元に、映像表示機器における表示映像を水平方向に移動させる映像出力手段とを備えることを特徴とする。
このような構成では、位相調整手段により、水平同期検出手段によって検出された水平同期信号を元に所定のサンプリングクロックの位相が調整され、Ａ／Ｄ変換手段により、アナログ映像信号がデジタル映像信号に変換される際、位相が調整されたサンプリングクロックでアナログ映像信号がサンプリングされ、位置調整手段により、Ａ／Ｄ変換手段からのデジタル映像信号及び水平同期信号のタイミングと、映像の表示期間指示信号のタイミングとが位相が調整されているサンプリングクロックに基づいたピクセルクロック単位で制御され、映像出力手段により、位置調整手段からのデジタル映像信号、水平同期信号及び映像の表示期間指示信号を元に、映像表示機器における表示映像の水平方向での移動が行われる。
この場合、位相調整手段による位相の調整がたとえば１／２遅延とされたものとし、映像表示領域の表示映像を１ピクセルクロック右にずらそうとするとき、映像表示機器に表示される映像が１／２遅延を経て表示されることになる。その結果、映像表示領域の表示映像を水平方向に所定ピクセルクロックだけ移動させるとき、映像表示機器に表示される映像が１ピクセルクロック間毎に１／２遅延されて表示される状態が連続するため、映像表示領域上では表示映像が滑らかに１ピクセルクロックずつ位置がずれたように見せかけることができる。
また、前記サンプリングクロックの位相は、１ピクセルクロックの期間より短い期間で調整されるようにすることができる。
このような構成では、サンプリングクロックの位相を、たとえば１／２遅延、１／４遅延、３／４遅延等のように、１ピクセルクロックの期間より短い期間とすることができ、位相遅延の期間を短くするに従い、映像表示領域上では表示映像がさらに滑らかに１ピクセルクロックずつ位置がずれたように見せかけることができる。
本発明の映像処理装置は、表示映像の水平方向の位置調整を行う映像処理装置であって、映像信号の水平同期信号を検出する水平同期検出手段と、検出された前記水平同期信号を元に所定のサンプリングクロックの極性を反転させる極性反転手段と、アナログ映像信号を、極性が反転された前記サンプリングクロックでサンプリングしてデジタル映像信号として出力するＡ／Ｄ変換手段と、前記Ａ／Ｄ変換手段からのデジタル映像信号及び水平同期信号のタイミングと、映像の表示期間指示信号のタイミングとを、極性が反転されている前記サンプリングクロックに基づいたピクセルクロック単位で制御する位置調整手段と、前記位置調整手段からのデジタル映像信号、水平同期信号及び映像の表示期間指示信号を元に、映像表示機器における表示映像を水平方向に移動させる映像出力手段とを備えることを特徴とする。
このような構成では、極性反転手段により、水平同期検出手段によって検出された水平同期信号を元に所定のサンプリングクロックの極性が反転され、Ａ／Ｄ変換手段により、アナログ映像信号がデジタル映像信号に変換される際、極性が反転されたサンプリングクロックでアナログ映像信号がサンプリングされ、位置調整手段により、Ａ／Ｄ変換手段からのデジタル映像信号及び水平同期信号のタイミングと、映像の表示期間指示信号のタイミングとが極性が反転されているサンプリングクロックに基づいたピクセルクロック単位で制御され、映像出力手段により、位置調整手段からのデジタル映像信号、水平同期信号及び映像の表示期間指示信号を元に、映像表示機器における表示映像の水平方向での移動が滑らかに行われる。
この場合、サンプリングクロックの位相遅延を行うことなしに、サンプリングクロックの位相を１／２遅延させたと同様にして、映像表示領域上では表示映像が滑らかに１ピクセルクロックずつ位置がずれたように見せかけることができる。
本発明の映像処理方法は、表示映像の水平方向の位置調整を行う映像処理方法であって、映像信号の水平同期信号を検出する同期信号検出工程と、検出された前記水平同期信号を元に所定のサンプリングクロックの位相を調整する位相調整工程と、アナログ映像信号を、位相が調整された前記サンプリングクロックでサンプリングしてデジタル映像信号として出力するＡ／Ｄ変換工程と、前記デジタル映像信号及び水平同期信号のタイミングと、映像の表示期間指示信号のタイミングとを、位相が調整されている前記サンプリングクロックに基づいたピクセルクロック単位で制御するタイミング調整工程と、タイミング調整された前記デジタル映像信号、水平同期信号及び映像の表示期間指示信号を元に、映像表示機器における表示映像を水平方向に移動させる映像出力工程とを有することを特徴とする。
このような構成では、検出された水平同期信号を元に所定のサンプリングクロックの位相が調整され、アナログ映像信号がデジタル映像信号に変換される際、位相が調整されたサンプリングクロックでアナログ映像信号がサンプリングされ、そのサンプリングされたデジタル映像信号及び水平同期信号のタイミングと、映像の表示期間指示信号のタイミングとが位相が調整されているサンプリングクロックに基づいたピクセルクロック単位で制御され、その制御されたデジタル映像信号、水平同期信号及び映像の表示期間指示信号を元に、映像表示機器における表示映像の水平方向での移動が滑らかに行われる。
この場合、上記同様に、サンプリングクロックの位相がたとえば１／２遅延されたとし、映像表示領域の表示映像を１ピクセルクロック右にずらそうとした場合、映像表示機器に表示される映像が１／２遅延を経て表示されることになる。その結果、映像表示領域の表示映像を水平方向に所定ピクセルクロックだけ移動させるとき、映像表示機器に表示される映像が１ピクセルクロック間毎に１／２遅延されて表示される状態が連続するため、映像表示領域上では表示映像が滑らかに１ピクセルクロックずつ位置がずれたように見せかけることができる。
また、前記サンプリングクロックの位相は、１ピクセルクロックの期間より短い期間で調整されるようにすることができる。
このような構成では、上記同様に、サンプリングクロックの位相を、たとえば１／２遅延、１／４遅延、３／４遅延等のように、１ピクセルクロックの期間より短い期間とすることができ、位相遅延の期間を短くするに従い、映像表示領域上では表示映像がさらに滑らかに１ピクセルクロックずつ位置がずれたように見せかけることができる。
本発明の映像処理方法は、表示映像の水平方向の位置調整を行う映像処理方法であって、映像信号の水平同期信号を検出する同期信号検出工程と、検出された前記水平同期信号を元に所定のサンプリングクロックの極性を反転させる極性反転工程と、アナログ映像信号を、極性が反転された前記サンプリングクロックでサンプリングしてデジタル映像信号として出力するＡ／Ｄ変換工程と、前記デジタル映像信号及び水平同期信号のタイミングと、映像の表示期間指示信号のタイミングとを、極性が反転されている前記サンプリングクロックに基づいたピクセルクロック単位で制御するタイミング調整工程と、タイミング調整された前記デジタル映像信号、水平同期信号及び映像の表示期間指示信号を元に、映像表示機器における表示映像を水平方向に移動させる映像出力工程とを有することを特徴とする。
このような構成では、検出された水平同期信号を元に所定のサンプリングクロックの極性が反転され、アナログ映像信号がデジタル映像信号に変換される際、極性が反転されたサンプリングクロックでアナログ映像信号がサンプリングされ、そのサンプリングされたデジタル映像信号及び水平同期信号のタイミングと、映像の表示期間指示信号のタイミングとが極性が反転されているサンプリングクロックに基づいたピクセルクロック単位で制御され、その制御されたデジタル映像信号、水平同期信号及び映像の表示期間指示信号を元に、映像表示機器における表示映像の水平方向での移動が滑らかに行われる。
この場合、上記同様に、サンプリングクロックの位相遅延を行うことなしに、サンプリングクロックの位相を１／２遅延させたと同様にして、映像表示領域上では表示映像が滑らかに１ピクセルクロックずつ位置がずれたように見せかけることができる。
【発明の効果】
【０００９】
本発明の映像処理装置によれば、位相調整手段により、水平同期検出手段によって検出された水平同期信号を元に所定のサンプリングクロックの位相が調整され、Ａ／Ｄ変換手段により、アナログ映像信号がデジタル映像信号に変換される際、位相が調整されたサンプリングクロックでアナログ映像信号がサンプリングされ、位置調整手段により、Ａ／Ｄ変換手段からのデジタル映像信号及び水平同期信号のタイミングと、映像の表示期間指示信号のタイミングとが位相が調整されているサンプリングクロックに基づいたピクセルクロック単位で制御され、映像出力手段により、位置調整手段からのデジタル映像信号、水平同期信号及び映像の表示期間指示信号を元に、映像表示機器における表示映像の水平方向での移動が行われるようにし、映像表示機器に表示される映像が１ピクセルクロック間毎に所定期間遅延されて表示される状態が連続し、映像表示領域上では表示映像が滑らかに１ピクセルクロックずつ位置がずれたように見せかけることができることから、大規模なデジタル処理回路を必要としなくてもアナログ映像信号をデジタル映像信号に処理した表示映像の水平方向位置調整を滑らかに行うことができる。
【発明を実施するための最良の形態】
【００１０】
本実施形態では、位相調整回路により、水平同期検出回路によって検出された水平同期信号を元に所定のサンプリングクロックの位相が調整され、Ａ／Ｄ変換回路により、アナログ映像信号がデジタル映像信号に変換される際、位相が調整されたサンプリングクロックでアナログ映像信号がサンプリングされ、位置調整回路により、Ａ／Ｄ変換回路からのデジタル映像信号及び水平同期信号のタイミングと、映像の表示期間指示信号のタイミングとが位相が調整されているサンプリングクロックに基づいたピクセルクロック単位で制御され、映像出力回路により、位置調整回路からのデジタル映像信号、水平同期信号及び映像の表示期間指示信号を元に、映像表示機器における表示映像の水平方向での移動が行われるようにし、映像表示機器に表示される映像が１ピクセルクロック間毎に所定期間遅延されて表示される状態が連続し、映像表示領域上では表示映像が滑らかに１ピクセルクロックずつ位置がずれたように見せかけることができるようにすることで、大規模なデジタル処理回路を必要としなくてもアナログ映像信号をデジタル映像信号に処理した表示映像の水平方向位置調整を滑らかに行うことができるようにした。
【実施例】
【００１１】
以下、本発明の実施の形態について説明する。
図１は、本発明の映像処理装置が適用されるテレビジョン受像機の一例を示すブロック図、図２は、本発明の映像処理装置の一実施形態を示すブロック図、図３及び図４は、図２の映像処理装置における映像処理方法を説明するための波形図、図５は、図２の映像処理装置の構成を変えた場合の他の実施形態を示すブロック図である。
【００１２】
図１に示すテレビジョン受像機は、主としてデコーダ１０、位置調整回路２０、制御部３０、セレクタ６０、映像出力回路７０、映像表示機器８０を備えている。ここで、本発明の映像処理装置は、デコーダ１０、位置調整回路２０及び映像出力回路７０によって構成されているが、その詳細は後述する。
【００１３】
デコーダ１０は、コンポーネント端子４０又はＤ端子５０から入力される後述の（ａ）アナログ映像信号を、後述の（ｃ）デジタル映像信号に変換する。
【００１４】
位置調整手段としての位置調整回路２０は、デコーダ１０からの後述の（ｃ）デジタル映像信号をピクセルクロック単位で制御して映像出力回路７０に出力するが、その詳細は後述する。
【００１５】
制御部３０は、外部からの水平方向位置調整指示があると、デコーダ１０、位置調整回路２０、セレクタ６０、映像出力回路７０のそれぞれの動作を制御する。
【００１６】
セレクタ６０は、コンポーネント端子４０又はＤ端子５０から入力される後述の（ａ）アナログ映像信号を、ユーザの指示に応じて選択する。
【００１７】
映像出力手段としての映像出力回路７０は、位置調整回路２０からの後述の（ｃ）デジタル映像信号、後述の（ｅ）水平同期信号及び映像の（ｄ）表示期間指示信号を元に、映像表示機器８０における表示映像を水平方向に移動させる。
【００１８】
映像表示機器８０は、映像出力回路７０からの後述の（ｃ）デジタル映像信号等を元に映像を表示する。
【００１９】
次に、映像処理装置を構成するデコーダ１０、位置調整回路２０及び映像出力回路７０について説明する。
【００２０】
図２に示すように、デコーダ１０は、Ａ／Ｄ変換回路１１、水平同期検出回路１２、位相調整回路１３を備えている。
【００２１】
Ａ／Ｄ変換手段としてのＡ／Ｄ変換回路１１は、（ａ）アナログ映像信号を、位相調整回路１３によって位相が調整された（ｂ）サンプリングクロックを元にサンプリングした（ｃ）デジタル映像信号として出力するが、その詳細は後述する。
【００２２】
水平同期検出手段としての水平同期検出回路１２は、Ａ／Ｄ変換回路１１によって変換された（ｃ）デジタル映像信号に含まれている後述の（ｅ）水平同期信号を検出する。なお、水平同期検出回路１２は、（ａ）アナログ映像信号に含まれる水平同期信号を検出するようにしてもよい。
【００２３】
位相調整手段としての位相調整回路１３は、水平同期検出回路１２によって検出された後述の（ｅ）水平同期信号を元に（ｂ）サンプリングクロックの位相を調整するが、その詳細は後述する。
【００２４】
位置調整手段としての位置調整回路２０は、Ａ／Ｄ変換回路１１からの（ｃ）デジタル映像信号及び後述の（ｅ）水平同期信号のタイミングと、映像の（ｄ）表示期間指示信号のタイミングとを、位相調整回路１３によって位相調整されている（ｂ）サンプリングクロックに基づいたピクセルクロック単位で制御して映像出力回路７０に出力するが、その詳細は後述する。
【００２５】
映像出力手段としての映像出力回路７０は、位置調整回路２０からの（ｃ）デジタル映像信号、後述の（ｅ）水平同期信号及び映像の（ｄ）表示期間指示信号を元に、映像表示機器８０における表示映像を水平方向に移動させる。
【００２６】
なお、制御部３０は、外部からの水平方向位置調整指示があると、位相調整回路１３による（ｂ）サンプリングクロックの位相の調整、Ａ／Ｄ変換回路１１によるＡ／Ｄ変換、位置調整回路２０による位置調整、映像出力回路７０による映像出力のそれぞれを制御する。
【００２７】
次に、図２の映像処理装置による映像処理方法について説明する。
【００２８】
まず、図３により、一般的に行われている表示映像の水平方向位置調整につい説明する。なお、図３は、説明の便宜上、映像信号の１ライン分の水平期間の波形を示している。また、ｔは時間を示している。
【００２９】
図３に示すように、位置調整前の状態では、（ａ）アナログ映像信号がＡ／Ｄ変換回路１１に入力されると、Ａ／Ｄ変換回路１１により、（ａ）アナログ映像信号が（ｃ）デジタル映像信号にＡ／Ｄ変換されて位置調整回路２０に出力される。このとき、Ａ／Ｄ変換回路１１は、位相調整回路１３による位相調整が行われていない（ｂ）サンプリングクロックを元に、（ａ）アナログ映像信号をサンプリングしている。
【００３０】
また、この場合、（ｅ）水平同期信号及び（ｃ）デジタル映像信号は、（ｂ）サンプリングクロックのパルス（ｆ）のたとえば立ち上がりを基準にサンプリングされるものとする。そして、位置調整回路２０により、（ｃ）デジタル映像信号及び（ｅ）水平同期信号のタイミングと、映像の（ｄ）表示期間指示信号のタイミングとが調整されて映像出力回路７０に出力されることにより、（Ａ）映像表示領域の（ｃ）デジタル映像信号の映像が映像表示機器８０に表示されることになる。ここで、（Ａ）映像表示領域を指示するための（ｄ）表示期間指示信号は、（ｅ）水平同期信号に基づいてそのタイミングがとられるようになっている。
【００３１】
そして、外部からの水平方向位置調整指示があると、制御部３０により、Ａ／Ｄ変換回路１１によるＡ／Ｄ変換、位置調整回路２０による位置調整、映像出力回路７０による映像出力のそれぞれが制御される。
【００３２】
この場合、位置調整回路２０により、映像表示機器８０に表示される表示映像の水平方向の位置調整が位相調整されていない（ｂ）サンプリングクロックに基づいたピクセルクロック単位でコントロールされることになる。すなわち、たとえば映像表示機器８０における画面、すなわち（Ａ）映像表示領域を右に１ピクセルクロック移動させるものとする。
【００３３】
その際、たとえばパルス（ｆ）から一周期後のパルス（ｇ）のたとえば立ち上がりを基準にサンプリングされた（ｅ−２）水平同期信号及び（ｃ−２）デジタル映像信号がＡ／Ｄ変換回路１１から位置調整回路２０に出力されると、位置調整回路２０により、（ｃ−２）デジタル映像信号及び（ｅ−２）水平同期信号のタイミングと、映像の（ｄ−２）表示期間指示信号のタイミングとが調整されて映像出力回路７０に出力される。
【００３４】
このとき、（Ｃ）映像表示領域を指示するための（ｄ−２）表示期間指示信号は、（ｅ−２）水平同期信号に基づいてタイミングがとられ、（Ｃ）映像表示領域の（ｃ−２）デジタル映像信号の映像が映像表示機器８０に表示されることになる。
【００３５】
このようにして、外部からたとえば右に１ピクセルクロック移動させるとした水平方向位置調整指示があると、（Ａ）映像表示領域の表示映像は、（Ｃ）映像表示領域の表示映像のように右に１ピクセルクロック移動することになる。
【００３６】
ところが、このように、映像表示機器８０に表示される映像の水平方向の位置がピクセルクロック単位でコントロールされると、移動前のフレームと次のフレームとには間が無く、一瞬にして画面が１ピクセルクロック右にずれたように見える。そのため、画面を水平方向に移動させる度に、映像表示機器８０に表示される映像がカクカクした動きとなって見えてしまうことになる。
【００３７】
そこで、本実施形態では、画面、すなわち図３の（Ａ）映像表示領域の表示映像の水平方向位置調整が指示されると、位相調整回路１３により、水平同期検出回路１２によって検出された（ｅ）水平同期信号を元に（ｂ）サンプリングクロックの位相が調整され、その調整されたクロックを元に（ａ）アナログ映像信号がＡ／Ｄ変換回路１１によりサンプリングされて位置調整回路２０に出力されるようにしている。
【００３８】
また、位置調整回路２０により、位相調整回路１３によって位相が調整されているクロックに基づいたピクセルクロック単位で映像表示機器８０に表示される表示映像の水平方向の位置調整がコントロールされるようにしている。
【００３９】
その状態を図４により説明する。なお、図４は、図３と同様に、映像信号の１ライン分の水平期間の波形を示している。また、ｔは時間を示している。
【００４０】
すなわち、位置調整前の状態では、上記同様に、（ａ）アナログ映像信号がＡ／Ｄ変換回路１１に入力されると、Ａ／Ｄ変換回路１１により、位相調整回路１３によって位相調整が行われていない（ｂ）サンプリングクロックを元に、（ａ）アナログ映像信号が（ｃ）デジタル映像信号にＡ／Ｄ変換されて位置調整回路２０に出力される。
【００４１】
この場合、（ｅ）水平同期信号及び（ｃ）デジタル映像信号は、上記同様に、（ｂ）サンプリングクロックのパルス（ｆ）のたとえば立ち上がりを基準にサンプリングされるものとする。
【００４２】
そして、位置調整回路２０により、（ｃ）デジタル映像信号及び（ｅ）水平同期信号のタイミングと、映像の（ｄ）表示期間指示信号のタイミングとが調整されて映像出力回路７０に出力されることにより、（Ａ）映像表示領域の（ｃ）デジタル映像信号の映像が映像表示機器８０に表示される。また、（Ａ）映像表示領域を指示するための（ｄ）表示期間指示信号は、（ｅ）水平同期信号に基づいてタイミングがとられている。
【００４３】
そして、外部からたとえば右に１ピクセルクロック移動させるとした水平方向位置調整指示があると、制御部３０により、位相調整回路１３による（ｂ）サンプリングクロックの位相の調整、Ａ／Ｄ変換回路１１によるＡ／Ｄ変換、位置調整回路２０による位置調整、映像出力回路７０による映像出力のそれぞれが制御される。
【００４４】
この場合、まず、制御部３０により、位相調整回路１３に対して（ｂ）サンプリングクロックの位相の調整が制御される。ここでの位相の調整を、たとえば１／２遅延であるとすると、位相調整回路１３により、水平同期検出回路１２によって検出された（ｅ）水平同期信号を元に（ｂ）サンプリングクロックの位相が１／２遅延（ｉ）されるように調整され、（ｂ−１）遅延サンプリングクロックとして出力される。なお、ここでの１／２遅延（ｉ）は、１ピクセルクロックの期間より短い期間である。
【００４５】
その際、Ａ／Ｄ変換回路１１により、たとえばパルス（ｆ）から１／２遅延（ｉ）されたパルス（ｈ）のたとえば立ち上がりを基準にサンプリングされた（ｅ−１）水平同期信号及び（ｃ−１）デジタル映像信号が位置調整回路２０に出力されたものとすると、位置調整回路２０により、（ｃ−１）デジタル映像信号及び（ｅ−１）水平同期信号のタイミングと、映像の（ｄ−１）表示期間指示信号のタイミングとが調整されて映像出力回路７０に出力される。
【００４６】
このとき、（Ｂ）映像表示領域を指示するための（ｄ−１）表示期間指示信号は、（ｅ−１）水平同期信号に基づいてタイミングがとられ、（Ｂ）映像表示領域の（ｃ−１）デジタル映像信号の映像が映像表示機器８０に表示されることになる。
【００４７】
次いで、右に１ピクセルクロック移動する状態では、（ｂ）サンプリングクロックが順に１／２遅延（ｉ）されて位相調整回路１３から出力されているため、パルス（ｈ）から１／２遅延（ｉ）された（ｂ−２）遅延サンプリングロックのパルス（ｊ）のたとえば立ち上がりを基準にサンプリングされた（ｅ−２）水平同期信号及び（ｃ−２）デジタル映像信号が位置調整回路２０に出力されることになる。
【００４８】
そして、位置調整回路２０により、（ｃ−２）デジタル映像信号及び（ｅ−２）水平同期信号のタイミングと、映像の（ｄ−２）表示期間指示信号のタイミングとが調整されて映像出力回路７０に出力される。
【００４９】
このとき、（Ｃ）映像表示領域を指示するための（ｄ−２）表示期間指示信号は、（ｅ−２）水平同期信号に基づいてタイミングがとられ、（Ｃ）映像表示領域の（ｃ−２）デジタル映像信号の映像が映像表示機器８０に表示されることになる。
【００５０】
ここで、（ｂ）サンプリングクロックが順に１／２遅延（ｉ）されて位相調整回路１３から出力されているため、パルス（ｈ）から１／２遅延（ｉ）されたパルス（ｊ）のたとえば立ち上がりは、パルス（ｆ）から一周期後のパルス（ｇ）の立ち上がりに一致することになる。
【００５１】
このことは、（Ａ）映像表示領域の表示映像を、（Ｃ）映像表示領域の表示映像のように、１ピクセルクロック右にずらそうとした場合、（Ｂ）映像表示領域の表示映像のように、１／２遅延（ｉ）を経て表示されることを意味している。
【００５２】
その結果、映像表示機器８０に表示される映像が１ピクセルクロック毎に、１／２遅延（ｉ）されて表示される状態が連続するため、移動前のフレームと次のフレームとの間に１／２遅延（ｉ）されたフレームが表示されることから、画面上では滑らかに１ピクセルクロックずつフレームの位置がずれたように見せかけることができる。
【００５３】
このように、本実施形態では、位相調整回路１３により、水平同期検出回路１２によって検出された水平同期信号を元に所定のサンプリングクロックの位相が調整され、Ａ／Ｄ変換回路１１により、アナログ映像信号がデジタル映像信号に変換される際、位相が調整されたサンプリングクロックでアナログ映像信号がサンプリングされ、位置調整回路２０により、Ａ／Ｄ変換回路１１からのデジタル映像信号及び水平同期信号のタイミングと、映像の表示期間指示信号のタイミングとが位相が調整されているサンプリングクロックに基づいたピクセルクロック単位で制御され、映像出力回路７０により、位置調整回路２０からのデジタル映像信号、水平同期信号及び映像の表示期間指示信号を元に、映像表示機器８０における表示映像の水平方向での移動が行われるようにした。
【００５４】
これにより、映像表示機器８０に表示される映像が１ピクセルクロック間毎に所定期間遅延されて表示される状態が連続し、映像表示領域上では表示映像が滑らかに１ピクセルクロックずつ位置がずれたように見せかけることができることから、大規模なデジタル処理回路を必要としなくてもアナログ映像信号をデジタル映像信号に処理した表示映像の水平方向位置調整を滑らかに行うことができる。
【００５５】
なお、本実施形態では、位相調整回路１３によるサンプリングクロックの位相を、１ピクセルクロックの期間より短い期間である、１／２遅延とした場合について説明したが、これに限らず、１ピクセルクロックの期間より短い期間であればよく、たとえば１／４遅延や３／４遅延等のようにさらに位相遅延の期間を短くしてもよい。この場合には、アナログ映像信号をデジタル映像信号に処理した表示映像の水平方向位置調整をさらに滑らかに行うことができる。
【００５６】
また、本実施形態では、位相調整回路１３によるサンプリングクロックの位相を、１／２遅延としてアナログ映像信号をサンプリングした場合について説明したが、これに限らず、サンプリングクロックの極性を反転させてアナログ映像信号をサンプリングしてもよい。
【００５７】
この場合には、図５に示すように、図２の位相調整回路１３を、極性反転回路１４に置き換えればよい。これにより、極性反転回路１４により、水平同期検出回路１２によって検出された水平同期信号を元にサンプリングクロックの極性が反転され、Ａ／Ｄ変換回路１１により、アナログ映像信号がデジタル映像信号に変換される際、極性が反転されたサンプリングクロックでアナログ映像信号がサンプリングされ、位置調整回路２０により、Ａ／Ｄ変換回路１１からのデジタル映像信号及び水平同期信号のタイミングと、映像の表示期間指示信号のタイミングとが極性が反転されているサンプリングクロックに基づいたピクセルクロック単位で制御され、映像出力回路７０により、位置調整回路２０からのデジタル映像信号、水平同期信号及び映像の表示期間指示信号を元に、映像表示機器８０における表示映像の水平方向での移動が行われる。
【００５８】
このように、サンプリングクロックの極性を反転させてアナログ映像信号をサンプリングしても、サンプリングクロックの位相遅延を行うことなしに、１／２位相遅延と同様にアナログ映像信号をサンプリングすることが可能となり、表示映像を滑らかに１ピクセルクロック位置がずれたように見せかけることができ、アナログ映像信号をデジタル映像信号に処理した表示映像の水平方向位置調整を滑らかに行うことができる。
【産業上の利用可能性】
【００５９】
テレビジョン受像機やコンピュータのディスプレイ等のような映像を表示するものに適用可能である。
【図面の簡単な説明】
【００６０】
【図１】本発明の映像処理装置が適用されるテレビジョン受像機の一例を示すブロック図である。
【図２】本発明の映像処理装置の一実施形態を示すブロック図である。
【図３】図２の映像処理装置における映像処理方法を説明するための波形図である。
【図４】図２の映像処理装置における映像処理方法を説明するための波形図である。
【図５】図２の映像処理装置の構成を変えた場合の他の実施形態を示すブロック図である。
【符号の説明】
【００６１】
１１  Ａ／Ｄ変換回路 
１２  水平同期検出回路 
１３  位相調整回路
１４  極性反転回路
２０  位置調整回路
３０  制御部 
７０  映像出力回路 
【図１】
2006208492.tif 000003
【図２】
2006208492.tif 000004
【図３】
2006208492.tif 000005
【図４】
2006208492.tif 000006
【図５】
2006208492.tif 000007